(57)【要約】【課題】  テキストデータのみを他のクライアント装置に送信することができるファクシミリサーバ装置を提供する。【解決手段】  クライアントパーソナルコンピュータ３０のＷＥＢ画面上で、ユーザは、テキストデータ及び当該テキストデータを送信する送信先の情報を入力し、その入力データを含むＨＴＴＰの要求メッセージがクライアントパーソナルコンピュータ３０からファクシミリサーバ装置２０に送信される。これに応答して、ファクシミリサーバ装置２０の主制御部１０１は、要求メッセージを受信し、入力されたテキストデータを例えばＨＴＴＰの手順を用いて入力された送信先に送信する（図４のステップＳ１６）。クライアントパーソナルコンピュータ３０からＷＥＢ画面上で操作して、ファクシミリサーバ装置２０から、テキストデータのみを他のクライアント装置に送信することができる。【選択図】  図４
2007074013.tif 000002
【特許請求の範囲】
【請求項１】
転送先の情報を含む画像データを受信して上記転送先に転送するファクシミリサーバ装置において、
テキストデータ及び当該テキストデータを送信する送信先の情報を含む要求メッセージを受信する受信手段と、
上記受信された要求メッセージに応答して、上記要求メッセージに含まれるテキストデータを上記送信先に送信する送信手段とを備えたことを特徴とするファクシミリサーバ装置。
【請求項２】
上記要求メッセージは、ＨＴＴＰの手順信号であることを特徴とする請求項１記載のファクシミリサーバ装置。
【請求項３】
上記ファクシミリサーバ装置はＷＥＢサーバ装置であることを特徴とする請求項１又は２記載のファクシミリサーバ装置。
【発明の詳細な説明】
【技術分野】
【０００１】
本発明は、互いに通信回線を介して接続されたファクシミリサーバ装置とクライアント装置とを備えたファクシミリシステムのためのファクシミリサーバ装置に関する。
【背景技術】
【０００２】
例えば、公衆電話回線などの通信回線に接続されファクシミリの送受信機能を有するファクシミリサーバ装置と、パーソナルコンピュータなどのクライアント装置とがローカルエリアネットワーク（以下、ＬＡＮという。）を介して接続してなるファクシミリシステムが実用化されている。この従来技術のファクシミリシステムでは、クライアント装置からファクシミリサーバ装置に対して画像データ及び送信先情報を送信することにより、ファクシミリサーバ装置は、画像データを通信回線を介して送信先に送信する一方、ファクシミリサーバ装置が画像データを受信したときは、画像データを所定のクライアント装置に送信することにより、クライアント装置は画像データを受信する。この従来技術のファクシミリサーバ装置においては、Ｇ３ファクシミリの画像データや、電子メールを用いたインターネットファクシミリの画像データを受信して、クライアント装置等に配信処理を行うことができる。
【０００３】
例えば、非特許文献１では、画像を補助的に扱うことなく、テキストと同様に扱うことができ、デジタル複合機やスキャナを使用するシステムに最適な電子掲示板機能を備えた、従来例に係るサーバ装置が開示されている。当該従来例に係るサーバ装置では、ユーザがスレッド内の画像データ及びテキストデータを選択して「保存」を指示すると、制御部は、選択されているスレッド全体に含まれている画像データのファイル及びテキストデータのファイルの識別情報をファイル合成部に送信し、これらのデータがすべて含まれたＰＤＦファイルの作成を指示する。ファイル合成部は制御部から送信された識別情報に基づいて画像格納部、差分画像格納部及びコメント格納部から該当する画像データとテキストデータファイルを読み出してＰＤＦファイルを作成する。そして、制御部が作成されたＰＤＦファイルをパーソナルコンピュータに送信することにより、パーソナルコンピュータにおいて送信されたＰＤＦファイルが指定された保存先に保存される。
【０００４】
【特許文献１】特開２００４−３６２１３５号公報。
【発明の開示】
【発明が解決しようとする課題】
【０００５】
しかしながら、従来例に係るサーバ装置では、ユーザのクライアント装置間で転送する場合であっても、必ず、画像データを転送しなければならず、テキストデータのみを転送することはできないという問題点があった。
【０００６】
本発明の目的は以上の問題点を解決し、テキストデータのみを他のクライアント装置に送信することができるファクシミリサーバ装置を提供することにある。
【課題を解決するための手段】
【０００７】
本発明に係るファクシミリサーバ装置は、転送先の情報を含む画像データを受信して上記転送先に転送するファクシミリサーバ装置において、
テキストデータ及び当該テキストデータを送信する送信先の情報を含む要求メッセージを受信する受信手段と、
上記受信された要求メッセージに応答して、上記要求メッセージに含まれるテキストデータを上記送信先に送信する送信手段とを備えたことを特徴とする。
【０００８】
また、上記ファクシミリサーバ装置において、上記要求メッセージは、ＨＴＴＰの手順信号であることを特徴とする。
【０００９】
さらに、上記ファクシミリサーバ装置において、上記ファクシミリサーバ装置はＷＥＢサーバ装置であることを特徴とする。
【発明の効果】
【００１０】
従って、本発明に係るファクシミリサーバ装置によれば、テキストデータ及び当該テキストデータを送信する送信先の情報を含む要求メッセージを受信する受信手段と、上記受信された要求メッセージに応答して、上記要求メッセージに含まれるテキストデータを上記送信先に送信する送信手段とを備えたので、クライアント装置からの操作により、ファクシミリサーバ装置から、テキストデータのみを他のクライアント装置に送信することができる。
【発明を実施するための最良の形態】
【００１１】
以下、本発明に係る実施形態について図面を参照して説明する。なお、以下の各実施形態において、同様の構成要素については同一の符号を付している。
【００１２】
以下、図面を参照して本発明に係る実施形態について説明する。
【００１３】
図１は、本発明に係る一実施形態である、ファクシミリサーバ装置２０及びクライアントパーソナルコンピュータ３０−１乃至３０−Ｎを備えたファクシミリシステムの構成を示すブロック図である。
【００１４】
この実施形態に係るファクシミリシステムは、複数Ｎ台のクライアントパーソナルコンピュータ３０−１乃至３０−Ｎ（以下、総称して符号３０を付す。）と、公衆電話回線Ｌを介してそれぞれ公衆電話網８０に接続されたファクシミリサーバ装置２０と、メールサーバ装置５０と、インターネット９０に接続されたルータ装置６０とがＬＡＮ７０を介して接続されて構成される。
【００１５】
この実施形態に係るファクシミリサーバ装置２０は、転送先の情報を含む画像データを受信して上記転送先に転送する、例えばＷＥＢサーバ装置であるファクシミリサーバ装置である。クライアントパーソナルコンピュータ３０のＷＥＢ画面上で、ユーザは、テキストデータ及び当該テキストデータを送信する送信先の情報を入力し、その入力データを含むＨＴＴＰの要求メッセージがクライアントパーソナルコンピュータ３０からファクシミリサーバ装置２０に送信され、これに応答して、ファクシミリサーバ装置２０の主制御部１０１は、上記要求メッセージを受信し、上記入力されたテキストデータを例えばＨＴＴＰの手順を用いて上記入力された送信先に送信する（図４のステップＳ１６）ことを特徴としている。
【００１６】
図１において、メールサーバ装置５０は、クライアントパーソナルコンピュータや相手先のメールサーバ装置（図示せず。）からインターネット９０及びＬＡＮ７０を介して受信し、例えば、受信した電子メールがＭＩＭＥ形式で符号化された画像データを含むときは画像データを含む電子メールを保持する。インターネット９０経由で画像データを含む電子メールを送信するときは、クライアントパーソナルコンピュータ３０からメールサーバ装置５０、ルータ装置６０及びインターネット９０を介して相手先のメールサーバ装置に送信される。
【００１７】
図２は、図１のクライアントパーソナルコンピュータ３０の構成を示すブロック図である。図２において、クライアントパーソナルコンピュータ３０は、公知のパーソナルコンピュータであって、画像データや文字データの生成や記録などの処理を実行する。本実施形態においては、クライアントパーソナルコンピュータ３０は、一例として、ファクシミリの画像データ又はテキストデータを送信し又は受信する端末装置として用いられる。主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部１０２及び画像記録部１０３はオプションで設けられ、画像読取部１０２は、ＣＣＤ等を利用したスキャナで原稿を読み取り、白黒２値に変換したドットイメージデータを出力する。画像記録部１０３は例えば電子写真方式等のプリンタ装置であり、他のファクシミリサーバ装置からファクシミリ通信により受信したイメージデータをハードコピーとしてプリントアウトして記録したり、文字データを記録する。表示部１０４は、液晶表示装置（ＬＣＤ）又はＣＲＴディスプレイ等の表示装置であり、当該クライアントパーソナルコンピュータ３０の動作状態を表示したり、送信すべき原稿のイメージデータ、及び受信したイメージデータの表示を行う。操作部１０５は、例えばキーボードであり、文字データや指示コマンドを入力するためのものである。
【００１８】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、実行するアプリケーションプログラムや画像メモリを格納する。ＬＡＮインターフェース１１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００１９】
図３は、図１のファクシミリサーバ装置２０の構成を示すブロック図である。図３において、ファクシミリサーバ装置２０は、従来のＧ３方式等のファクシミリ通信機能、及び電子メールを用いたファクシミリ通信機能を備えている。主制御部１は具体的にはＣＰＵで構成されており、バス１３を介して以下のハードウェア各部と接続されていてそれらを制御するほか、後述する種々のソフトウェアの機能を実行する。表示部４は、液晶表示装置（ＬＣＤ）又はＣＲＴディスプレイ等の表示装置であり、当該ファクシミリサーバ装置２０の動作状態を表示したり、送信すべき原稿のイメージデータ、及び受信したイメージデータの表示を行う。操作部５は、当該ファクシミリサーバ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリサーバ装置２０の動作に必要であって主制御部１によって実行される種々のソフトウェアのプログラムを予め格納する。ここで、ＲＯＭ６は、少なくとも図４の画像データ等配信処理のプログラムを格納する。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。ここで、ＲＡＭ７は、宛先名と、宛先の電話番号やＬＡＮ内のＩＰアドレスなどを含む宛先表テーブル７ａを格納する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。
【００２１】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２２】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのインターフェース処理を実行する。
【００２３】
以上のように構成されたファクシミリサーバ装置２０は、通常のＧ３方式等のファクシミリ通信機能、及び電子メールを用いたファクシミリ通信機能を有している。なお、画像メモリ８はイメージデータを必要に応じて記憶し、また逆に記憶しているイメージデータを必要に応じて出力する。また、ファクシミリサーバ装置２０は、上記配信先通知データに応答して、対応する画像データを上記配信先通知データで指示された配信先に配信し、ここで、配信方法は、公衆電話網Ｌを介するＩＴＵ−Ｔ勧告のＴ．３０の通信手順に基づくファクシミリ送信と、インターネット９０を介して電子メールを用いて画像データを送信するインターネットファクシミリ送信とを含む。
【００２４】
図４は図３のファクシミリサーバ装置２０の主制御部１によって実行される画像データ等配信処理を示すフローチャートである。ファクシミリサーバ装置２０と、当該ファクシミリサーバ装置２０にアクセスするクライアントパーソナルコンピュータ３０との間でＨＴＴＰの手順を用いて、要求メッセージと応答メッセージを含む所定の信号を送受信することにより、ＷＥＢサーバ装置であるファクシミリサーバ装置は、クライアントパーソナルコンピュータ３０との間で通信を行って、画像データの転送及び表示、テキストデータの転送及び表示などを行う。なお、図５は図４のステップＳ２で表示される受信画面２０１の一例を示す図であり、図６は図４のステップＳ１０で表示される送信画面２０２の一例を示す図であり、図７は図４のステップＳ２で表示される本文編集画面２０３の一例を示す図である。なお、図４の処理において、画面などを表示するときは、クライアントパーソナルコンピュータ３０の表示部１０４を示し、マウスクリックやテキストデータ入力などの入力操作はユーザのクライアントパーソナルコンピュータ３０の操作部１０５を用いて実行され、入力されたデータや情報はＨＴＴＰの要求メッセージによりファクシミリサーバ装置２０に送信される。これに応答して、ファクシミリサーバ装置２０は対応する処理を実行し、所定の応答メッセージをクライアントパーソナルコンピュータ３０に返信する。
【００２５】
図４のステップＳ１において画像データ等を受信したか否かが判断され、受信するまでステップＳ１の処理を繰り返し、ＹＥＳとなったときに、ステップＳ２において受信画面２０１（図５）を表示し、ステップＳ３において件名をクリックしたか否かが判断される。ステップＳ３においてＹＥＳのときはステップＳ４に進む一方、ＮＯのときはステップＳ９に進む。ステップＳ４において画像データが添付されているか否かが判断され、ＹＥＳのときはステップＳ６に進む一方、ＮＯのときはステップＳ５に進む。ステップＳ５においては、テキスト本文を表示するブラウザを開き、ステップＳ８でその他の処理を実行した後、ステップＳ１に戻る。
【００２６】
ステップＳ６において、上記添付された画像データを表示し、ステップＳ７において「閉じる」をクリックしたか否かが判断され、ＹＥＳとなるまでステップＳ７の処理を繰り返し、ＹＥＳとなったときにステップＳ８に進む。また、ステップＳ９では、「送信」２２１をクリックしたか否かが判断され、ステップＳ１０に進む。
【００２７】
ステップＳ１０では、送信画面２０２（図６）を表示し、入力可能状態となり、ステップＳ１１に進む。ステップＳ１１において、「本文編集」２１２をクリックしたか否かが判断され、ＹＥＳのときはステップＳ１２に進む一方、ＮＯのときはステップＳ１４に進む。ステップＳ１２において本文編集画面２０３（図１）を表示し、入力可能状態となり、件名２１３及び本文２１４を入力し、ステップＳ１３において「ＯＫ」２１５をクリックしたか否かが判断される。ステップＳ１３において、ＹＥＳのときはステップＳ１０に戻る一方、ＮＯのときはステップＳ１２に戻る。
【００２８】
ステップＳ１４では、「送信」２１６をクリックしたか否かが判断され、ＹＥＳのときはステップＳ１６に進む一方、ＮＯのときはステップＳ１５に進み、その他の処理を実行した後、ステップＳ１０に戻る。また、ステップＳ１６では、テキスト本文を指定宛先に送信した後、ステップＳ１に戻る。なお、テキスト本文を指定宛先に送信した後、当該送信した旨のメッセージを含む応答メッセージをクライアントパーソナルコンピュータ３０に返信する。
【００２９】
以上説明したように本実施形態に係るファクシミリサーバ装置２０によれば、クライアントパーソナルコンピュータ３０のＷＥＢ画面上で、ユーザは、テキストデータ及び当該テキストデータを送信する送信先の情報を入力し、その入力データを含むＨＴＴＰの要求メッセージがクライアントパーソナルコンピュータ３０からファクシミリサーバ装置２０に送信される。これに応答して、ファクシミリサーバ装置２０の主制御部１０１は、上記要求メッセージを受信し、上記入力されたテキストデータを例えばＨＴＴＰの手順を用いて上記入力された送信先に送信する（図４のステップＳ１６）。それ故、クライアントパーソナルコンピュータ３０からＷＥＢ画面上で操作して、ファクシミリサーバ装置２０から、テキストデータのみを他のクライアント装置に送信することができる。
【００３０】
＜変形例＞
以上の実施形態においては、ファクシミリサーバ装置２０の例について述べているが、本発明はこれに限らず、公衆電話網又は公衆デジタル回線網などの公衆網やインターネットに接続された、例えば電話機、データ通信装置、サーバ装置などを含む通信端末装置に適用することができる。
【産業上の利用可能性】
【００３１】
以上詳述したように、本発明に係るファクシミリサーバ装置によれば、テキストデータ及び当該テキストデータを送信する送信先の情報を含む要求メッセージを受信する受信手段と、上記受信された要求メッセージに応答して、上記要求メッセージに含まれるテキストデータを上記送信先に送信する送信手段とを備えたので、クライアント装置からの操作により、ファクシミリサーバ装置から、テキストデータのみを他のクライアント装置に送信することができる。
【図面の簡単な説明】
【００３２】
【図１】本発明に係る一実施形態である、ファクシミリサーバ装置２０及びクライアントパーソナルコンピュータ３０−１乃至３０−Ｎを備えたファクシミリシステムの構成を示すブロック図である。
【図２】図１のクライアントパーソナルコンピュータ３０の構成を示すブロック図である。
【図３】図１のファクシミリサーバ装置２０の構成を示すブロック図である。
【図４】図３のファクシミリサーバ装置２０の主制御部１によって実行される画像データ等配信処理を示すフローチャートである。
【図５】図４のステップＳ２で表示される受信画面２０１の一例を示す図である。
【図６】図４のステップＳ１０で表示される送信画面２０２の一例を示す図である。
【図７】図４のステップＳ２で表示される本文編集画面２０３の一例を示す図である。
【符号の説明】
【００３３】
１…主制御部、
２…画像読取部、
３…画像記録部、
４…表示部、
５…操作部、
６…ＲＯＭ、
７…ＲＡＭ、
７ａ…宛先表テーブル、
８…画像メモリ、
１０…ファックスモデム、
１１…ＮＣＵ、
１２…ＬＡＮインターフェース、
１３…バス、
２０…ファクシミリサーバ装置、
３０，３０−１乃至３０−Ｎ…クライアントパーソナルコンピュータ、
５０…メールサーバ装置、
６０…ルータ装置、
８０…公衆電話網、
９０…インターネット、
１０１…主制御部、
１０２…画像読取部、
１０３…画像記録部、
１０４…表示部、
１０５…操作部、
１０６…ＲＯＭ、
１０７…ＲＡＭ、
１０８…ハードディスクドライブ、
１１２…ＬＡＮインターフェース、
１１３…バス、
２０１…受信画面、
２０２…送信画面、
２０３…本文編集画面、
Ｌ…公衆電話回線。
【図１】
2007074013.tif 000003
【図２】
2007074013.tif 000004
【図３】
2007074013.tif 000005
【図４】
2007074013.tif 000006
【図５】
2007074013.tif 000007
【図６】
2007074013.tif 000008
【図７】
2007074013.tif 000009